(57)【特許請求の範囲】
【請求項１】
表示器と、
表示器の後側に配置され、該表示器を支持するパネルフレームと、
前記表示器と前記パネルフレームとの間に配置されて該パネルフレームに固定されるベース部と、前記ベース部から前記パネルフレームに形成された挿入孔を通して該パネルフレームの後側へ延出するブラケット連結部と、を有するヒンジブラケットと、
前記ブラケット連結部にヒンジ軸を介して連結されるスタンドと、
を備える電子機器。
【請求項２】
前記スタンドに固定されるスタンドブラケットを備え、
前記ブラケット連結部は、前記表示器の横幅方向に対向する一対の第１連結壁部及び第２連結壁部を有し、
前記スタンドブラケットは、前記第１連結壁部及び前記第２連結壁部の各々と対向する一対の第１対向壁部及び第２対向壁部を有し、
前記ヒンジ軸は、前記第１連結壁部と前記第１対向壁部とを連結する第１連結ボルトと、前記第２連結壁部と前記第２対向壁部とを連結する第２連結ボルトと、を有する、
請求項１に記載の電子機器。
【請求項３】
前記第１連結ボルトの頭部及び前記第２連結ボルトの頭部は、前記第１連結壁部と前記第２連結壁部との間に配置される、
請求項２に記載の電子機器。
【請求項４】
前記第１連結ボルトには、前記第１連結壁部及び前記第１対向壁部の外側から第１バネ座金を介して第１ナットが取り付けられ、
前記第２連結ボルトには、前記第２連結壁部及び前記第２対向壁部の外側から第２バネ座金を介して第２ナットが取り付けられる、
請求項３に記載の電子機器。
【請求項５】
前記第１連結壁部と前記第２連結壁部との間に配置され、前記第１連結ボルト及び前記第２連結ボルトを中心として前記スタンドブラケットに対して前記ヒンジブラケットを回動させるヒンジモータを備える、
請求項２〜請求項４の何れか１項に記載の電子機器。
【請求項６】
前記ベース部は、前記パネルフレームの対角線に沿って延びる補強アーム部を有する、
請求項１〜請求項５の何れか１項に記載の電子機器。
【発明の詳細な説明】
【技術分野】
【０００１】
本願が開示する技術は、電子機器に関する。
【背景技術】
【０００２】
液晶パネル等の表示器を有する表示装置と、表示装置の両側の側面に設けられた一対のヒンジ軸と、一対のヒンジ軸を支持するスタンドとを備える電子機器がある（例えば、特許文献１参照）。この電子機器では、スタンドに対して表示装置が回動し易いように、表示装置の重心がヒンジ軸上に位置される。
【先行技術文献】
【特許文献】
【０００３】
【特許文献１】特開平８−２８９２３０号公報
【特許文献２】特開２００６−３２４９５２号公報
【特許文献３】特開平５−１４８３８号公報
【０００４】
ところで、表示装置の後面側にスタンドが取り付けられる電子機器では、例えば、表示器の後側に配置されたパネルフレームの後面にヒンジ軸を介してスタンドが取り付けられる。
【０００５】
この場合、表示器とヒンジ軸との間にパネルフレームが介在するため、ヒンジ軸を表示器側に移動し難く、表示装置の重心にヒンジ軸を近づけることができない可能性がある。
【発明の概要】
【発明が解決しようとする課題】
【０００６】
本願が開示する技術は、一つの側面として、表示器にヒンジ軸を近づけることができる電子機器を得ることを目的とする。
【課題を解決するための手段】
【０００７】
本願が開示する技術では、電子機器は、表示器と、パネルフレームと、ヒンジブラケットと、スタンドとを備える。パネルフレームは、表示器の後側に配置され、表示器を支持する。ヒンジブラケットは、ベース部と、ブラケット連結部とを有する。ベース部は、表示器とパネルフレームとの間に配置されてパネルフレームに固定される。ブラケット連結部は、ベース部からパネルフレームに形成された挿入孔を通してパネルフレームの後側へ延出する。スタンドは、ブラケット連結部にヒンジ軸を介して連結される。
【発明の効果】
【０００８】
本願が開示する技術によれば、一つの側面として、表示器にヒンジ軸を近づけることができる。
【図面の簡単な説明】
【０００９】
【図１】図１は、一実施形態に係る電子機器を前側から見た斜視図である。
【図２】図２は、図１に示される電子機器を後側から見た斜視図である。
【図３】図３は、図１に示される電子機器を分解して示す分解斜視図である。
【図４】図４は、図３に示される瞳孔検出装置を示す斜視図である。
【図５】図５は、図３に示されるパネルフレームを後側から見た平面図である。
【図６】図６は、図１に示される電子機器を示す縦断面図である。
【図７】図７は、図６に示されるヒンジユニットを後側から見た斜視図である。
【図８】図８は、図３に示されるパネルフレームを前側から見た斜視図である。
【図９】図９は、図７に示されるヒンジユニットを分解して示す分解斜視図である。
【図１０】図１０は、図７に示されるモータユニットを分解して示す分解斜視図である。
【図１１】図１１は、図７に示されるヒンジユニットを上側から見た平面図である。
【図１２】図１２は、図７に示される遊星ギア機構を分解して示す分解斜視図である。
【図１３】図１３は、図７に示されるモータユニットを示す縦断面図である。
【図１４】図１４は、図７に示されるモータユニットを示す縦断面図である。
【図１５】図１５は、チルト制御部の機能ブロック図である。
【図１６】図１６は、図１５に示されるチルト制御部の処理フローを示すフローチャートである。
【図１７】図１７は、比較例に係るヒンジユニットを分解して示す縦断面図である。
【図１８】図１８は、比較例に係るヒンジユニットを示す縦断面図である。
【図１９】図１９は、一実施形態に係るヒンジユニットを分解して示す縦断面図である。
【図２０】図２０は、一実施形態に係るヒンジユニットを示す縦断面図である。
【発明を実施するための形態】
【００１０】
以下、図面を参照しながら本願が開示する技術の一実施形態について説明する。なお、各図において適宜示される矢印Ｘは、電子機器（表示器）の前後方向の前側を示す。また、矢印Ｙは、電子機器（表示器）の横幅方向の外側を示す。さらに、矢印Ｚは、電子機器（表示器）の高さ方向の上側を示す。
【００１１】
（電子機器）
図１及び図２に示されるように、本実施形態に係る電子機器１０は、例えば、表示器一体型のパーソナルコンピュータとされる。この電子機器１０は、表示装置１２と、表示装置１２を支持するスタンド１３０とを備える。
【００１２】
（表示装置）
図３に示されるように、表示装置１２は、表示器１４、筐体１６（図１参照）、瞳孔検出装置３０、及びパネルフレーム２４を有する。表示器１４は、矩形のパネル状に形成されており、前面が画像や映像を表示する表示面１４Ａとされる。この表示器１４は、例えば、液晶表示器とされており、筐体１６に収容される。なお、表示器１４には、例えば、タッチパネルが一体化されていても良い。
【００１３】
筐体１６は、薄型の箱状に形成される。この筐体１６には、表示器１４、パネルフレーム２４、及び瞳孔検出装置３０等が収容される。筐体１６は、フロントカバー１８及びリアカバー２０を備える。フロントカバー１８及びリアカバー２０は、筐体１６の厚み方向に分割される。
【００１４】
フロントカバー１８は、枠状に形成される。このフロントカバー１８は、表示器１４の表示面１４Ａを露出させる窓部１８Ａを有し、表示器１４の外周部を前側から覆う。また、フロントカバー１８は、パネルフレーム２４に図示しないビス等によって固定され、パネルフレーム２４との間で表示器１４を挟み込んだ状態で保持する。
【００１５】
リアカバー２０は、後壁部２０Ａ及び側周壁部２０Ｂを有する。後壁部２０Ａは、表示器１４を後側から覆う。また、後壁部２０Ａの中央部には、スタンド１３０を取り付けるためのスタンド用開口２２が形成される。側周壁部２０Ｂは、後壁部２０Ａの外周部から表示器１４側へ延出し、表示器１４の側周面１４Ｂを覆う。なお、リアカバー２０の内側には、図示しないシールド用板金が設けられる。
【００１６】
（瞳孔検出装置）
瞳孔検出装置３０は、表示器１４の前面２４Ｆにおける下端部に取り付けられる。この瞳孔検出装置３０は、図４に示されるように、ベース部材３２、複数の赤外線照射器３４、及びカメラ３６を有する。ベース部材３２は、表示器１４の前面２４Ｆにおける下端部に沿って配置される。このベース部材３２の長手方向の両側に、複数の赤外線照射器３４が取り付けられる。
【００１７】
各赤外線照射器３４は、例えば、赤外線発光ダイオード（ＬＥＤ）とされる。これらの赤外線照射器３４は、フロントカバー１８の下端部に形成された照射孔３８（図１参照）から電子機器１０の前側にいる利用者の顔に赤外線を放射状に照射する。
【００１８】
カメラ３６は、ベース部材３２の長手方向の中央部に取り付けられる。このカメラ３６は、赤外線照射器３４から射出され、利用者の瞳孔によって反射された赤外線を撮影する。このカメラ３６は、撮影した画像情報を後述するチルト制御部１４０（図１５参照）に出力する。なお、カメラ３６は、フロントカバー１８の下端部に形成された受光孔４０を介して電子機器１０の前側を撮影する。
【００１９】
（パネルフレーム）
図３に示されるように、パネルフレーム２４は、板金等の金属板によって板状に形成される。このパネルフレーム２４は、表示器１４とリアカバー２０との間に配置される。つまり、パネルフレーム２４は、表示器１４の後側で、且つパネルフレーム２４の前側に配置される。
【００２０】
図５に示されるように、パネルフレーム２４には、制御基板４２、光学ドライブユニット４４、冷却ファンユニット４６、記憶装置ユニット４８、及びヒンジユニット５０が取り付けられる。
【００２１】
制御基板４２は、矩形の板状に形成される。この制御基板４２には、ＣＰＵ等の複数の電子部品が実装される。また、制御基板４２は、後述するスタンドブラケット７０に対する表示器１４の横幅方向の一方側に配置され、パネルフレーム２４の後面２４Ｒに取り付けられる。
【００２２】
光学ドライブユニット４４は、例えば、ＯＤＤ（Optical Disk Drive）ユニットとされる。この光学ドライブユニット４４は、後述するスタンドブラケット７０に対する表示器１４の横幅方向の他方側に配置され、パネルフレーム２４の後面２４Ｒに取り付けられる。
【００２３】
冷却ファンユニット４６は、制御基板４２に実装された電子部品を冷却する装置である。この冷却ファンユニット４６は、図示しない冷却ファンを収容するファンケース４６Ａを有する。また、冷却ファンユニット４６は、後述するスタンドブラケット７０の上側に配置され、パネルフレーム２４の後面２４Ｒに取り付けられる。
【００２４】
記憶装置ユニット４８は、例えば、ＨＤＤ（Hard Disk Drive）ユニットとされる。この記憶装置ユニット４８は、後述するスタンドブラケット７０の下側に配置され、パネルフレーム２４の後面２４Ｒに取り付けられる。なお、記憶装置ユニット４８は、ＳＳＤ（Solid State Drive）ユニットとされても良い。
【００２５】
ここで、図６に示されるように、表示装置１２では、大重量の表示器１４、記憶装置ユニット４８、及びリアカバー２０の配置（レイアウト）によって、表示装置１２の重心Ｇ位置が決定される。そして、表示装置１２の重心Ｇは、後述する第１連結ボルト８０及び第２連結ボルト８６（図１０参照）の中心軸Ｃ上に位置される。
【００２６】
なお、ここでいう第１連結ボルト８０及び第２連結ボルト８６の中心軸Ｃ上に表示装置１２の重心Ｇが位置するとは、中心軸Ｃ上に重心Ｇが厳密に位置する場合だけでなく、表示装置１２の製造誤差等により中心軸Ｃ上と重心Ｇとがずれる場合も含む概念である。また、図６には、表示装置１２が回動した状態が二点鎖線で示される。また、符号θは、鉛直方向に対する表示装置１２のチルト角度（回動角度）を示している。
【００２７】
（ヒンジユニット）
図７に示されるように、ヒンジユニット５０は、ヒンジブラケット５２、スタンドブラケット７０、第１連結ボルト８０（図９参照）、第２連結ボルト８６、モータユニット９２、及び遊星ギア機構１１０等を有する。
【００２８】
（ヒンジブラケット）
ヒンジブラケット５２は、板金等の金属板で形成される。このヒンジブラケット５２は、ベース部５４と、ブラケット連結部５６とを有する。ベース部５４は、図８に示されるように、前側から見てＸ字形状に形成されており、パネルフレーム２４の前面２４Ｆ（図８参照）に重ねられる。このベース部５４は、ベース本体部５４Ａと、複数（本実施形態では４つ）の補強アーム部５４Ｂとを有する。
【００２９】
ベース本体部５４Ａは、パネルフレーム２４の前面２４Ｆにおける中央部に重ねられる。このベース本体部５４Ａの外周部に複数の補強アーム部５４Ｂが設けられる。複数の補強アーム部５４Ｂは、ベース本体部５４Ａの外周部からパネルフレーム２４の４つの角部２４Ｃへ向けてそれぞれ延出され、パネルフレーム２４の対角線に沿って配置される。
【００３０】
また、ベース本体部５４Ａの外周部及び各補強アーム部５４Ｂの先端部には、円形状の取付孔６２が形成される。これらの取付孔６２に挿入されたビス６４によって、ヒンジブラケット５２がパネルフレーム２４に取り付けられる。この補強アーム部５４Ｂによって、パネルフレーム２４の捩れ剛性 （捩り剛性 ）が高められる。
【００３１】
図９に示されるように、ベース本体部５４Ａの中央部には、ブラケット連結部５６が設けられる。ブラケット連結部５６は、一対の第１連結壁部５６Ａ及び第２連結壁部５６Ｂを有する。一対の連結壁部５６Ａ，５６Ｂは、切り起こし加工によってベース本体部５４Ａの中央部に形成される。
【００３２】
具体的には、ベース本体部５４Ａの中央部には、矩形状の開口５８が形成される。この開口５８における表示器１４の横幅方向の両側の縁部に沿って一対の第１連結壁部５６Ａ及び第２連結壁部５６Ｂが設けられる。一対の第１連結壁部５６Ａ及び第２連結壁部５６Ｂは、ベース本体部５４Ａから後側へ延出されると共に、表示器１４の横幅方向（矢印Ｙ方向）に互い対向される。
【００３３】
一対の第１連結壁部５６Ａ及び第２連結壁部５６Ｂは、パネルフレーム２４の中央部に形成された挿入孔６０（図８参照）にパネルフレーム２４の前側から挿入され、当該挿入孔６０を介してパネルフレーム２４の後側（矢印Ｘと反対側）へ延出される。
【００３４】
また、一対の第１連結壁部５６Ａ及び第２連結壁部５６Ｂには、貫通孔６６がそれぞれ形成される。この一対の第１連結壁部５６Ａ及び第２連結壁部５６Ｂに、第１連結ボルト８０及び第２連結ボルト８６を介してスタンドブラケット７０が連結される。
【００３５】
（スタンドブラケット）
スタンドブラケット７０は、金属板等によって平面視にてＵ字状に形成される。このスタンドブラケット７０は、ベース部７２と、一対の第１対向壁部７４Ａ及び第２対向壁部７４Ｂとを有する。
【００３６】
ベース部７２は、ヒンジブラケット５２のベース部５４と対向して配置される。このベース部７２における表示器１４の横幅方向の両端部に、一対の第１対向壁部７４Ａ及び第２対向壁部７４Ｂが設けられる。
【００３７】
一対の第１対向壁部７４Ａ及び第２対向壁部７４Ｂは、ベース部７２からヒンジブラケット５２側へ延出し、表示器１４の横幅方向に互いに対向される。この一対の第１対向壁部７４Ａ及び第２対向壁部７４Ｂは、一対の第１連結壁部５６Ａ及び第２連結壁部５６Ｂの外側に配置され、一対の第１連結壁部５６Ａ及び第２連結壁部５６Ｂの各々と対向される。
【００３８】
一対の第１対向壁部７４Ａ及び第２対向壁部７４Ｂには、貫通孔７６がそれぞれ形成される。そして、第１連結壁部５６Ａ及び第１対向壁部７４Ａの貫通孔６６，７６には、第１連結壁部５６Ａの内側から第１連結ボルト８０の軸部８０Ａが挿入される。つまり、第１連結ボルト８０の頭部８０Ｂは、一対の第１連結壁部５６Ａ及び第２連結壁部５６Ｂの間に配置される。この第１連結ボルト８０の軸部８０Ａには、第２対向壁部７４Ｂの外側から複数の第１バネ座金８２を介して第１ナット８４が取り付けられる。
【００３９】
これと同様に、第２連結壁部５６Ｂ及び第２対向壁部７４Ｂの貫通孔６６，７６には、第２連結壁部５６Ｂの内側から第２連結ボルト８６が挿入される。つまり、第２連結ボルト８６の頭部８６Ｂは、一対の第１連結壁部５６Ａ及び第２連結壁部５６Ｂの間に配置される。この第２連結ボルト８６の軸部８６Ａには、第２対向壁部７４Ｂの外側から複数の第２バネ座金８８を介して第２ナット９０が取り付けられる。
【００４０】
また、第２連結ボルト８６は、第１連結ボルト８０と同軸上に配置される。これにより、第１連結ボルト８０及び第２連結ボルト８６の中心軸Ｃを中心として、ブラケット連結部５６がスタンドブラケット７０に回動可能に連結される。なお、第１連結ボルト８０及び第２連結ボルト８６は、ヒンジ軸の一例である。
【００４１】
また、第１バネ座金８２の付勢力（復元力）によって一方の第１連結壁部５６Ａと第１対向壁部７４Ａとが圧接される。さらに、第２バネ座金８８の付勢力によって第２連結壁部５６Ｂと第２対向壁部７４Ｂとが圧接される。これにより、第１連結壁部５６Ａと第１対向壁部７４Ａの間に発生する摩擦力、及び第２連結壁部５６Ｂと第２対向壁部７４Ｂとの間に発生する摩擦力によって、スタンドブラケット７０に対するブラケット連結部５６が所定の回動角度で保持される。
【００４２】
（モータユニット）
図１０に示されるように、モータユニット９２は、ヒンジモータ９４、モータケース９６、及びモータカバー９８を有する。ヒンジモータ９４は、表示器１４の横幅方向に延びるモータ出力軸９４Ａを有する。ヒンジモータ９４は、例えば、ステッピングモータとされ、ケーブル１００を介して前述した制御基板４２（図５参照）と接続される。
【００４３】
モータ出力軸９４Ａは、第１連結ボルト８０及び第２連結ボルト８６（図９参照）の同軸上に配置される。また、モータ出力軸９４Ａには、後述する遊星ギア機構１１０のサンギア１１２が取り付けられる。このヒンジモータ９４は、モータケース９６に収容された状態で一対の第１連結壁部５６Ａ及び第２連結壁部５６Ｂの間に配置される。また、ヒンジモータ９４は、後述するチルト制御部１４０によって制御される。
【００４４】
モータケース９６は、複数のフランジ部９６Ａを有する。各フランジ部９６Ａは、ビス１０２によってスタンドブラケット７０のベース部７２の前面７２Ｆに固定される。また、モータケース９６には、ヒンジモータ９４を覆うモータカバー９８が取り付けられる。
【００４５】
（遊星ギア機構）
図１２に示されるように、第１連結壁部５６Ａの内壁面には、遊星ギア機構１１０が取り付けられる。遊星ギア機構１１０は、ヒンジモータ９４の回転出力（駆動力）を減速させる減速機構の一例である。この遊星ギア機構１１０は、サンギア１１２（図１０参照）、リングギア１１４、及びプラネタリピニオン１１６を有する。
【００４６】
図１０に示されるように、サンギア１１２は、ヒンジモータ９４のモータ出力軸９４Ａに取り付けられる。このサンギア１１２は、外周部に複数の歯を有する。図１２に示されるように、リングギア１１４は、リング状に形成される。また、リングギア１１４は、内周部に複数の歯を有する。このリングギア１１４は、モータ出力軸９４Ａと同軸上に配置され、第１連結壁部５６Ａの内壁面に複数のビス１１８によって固定される。なお、リングギア１１４は、複数のスリーブスペーサ１２０を介して第１連結壁部５６Ａの内壁面に固定される。
【００４７】
プラネタリピニオン１１６は、第１連結壁部５６Ａの内壁面からリングギア１１４の内側へ突出する軸ピン１２２に回転可能に取り付けられる。また、プラネタリピニオン１１６は、外周部に複数の歯を有する。このプラネタリピニオン１１６は、図１３に示されるように、リングギア１１４の内側に配置され、リングギア１１４とサンギア１１２との両方に噛み合わされる。
【００４８】
そして、スタンドブラケット７０に固定されたヒンジモータ９４が作動されると、モータ出力軸９４Ａとサンギア１１２とが一体に所定方向に回転される。これにより、プラネタリピニオン１１６を介してリングギア１１４がヒンジブラケット５２と一体に回転される。この結果、図１４に示されるように、ヒンジブラケット５２が、第１連結ボルト８０及び第２連結ボルト８６の中心軸Ｃを中心として、スタンドブラケット７０に対して回動する。
【００４９】
この際、遊星ギア機構１１０によってヒンジモータ９４の回転出力が減速されてヒンジブラケット５２に伝達される。なお、遊星ギア機構１１０の減速比は、−（サンギア１１２の歯数／リングギア１１４）の歯数で表される。なお、モータ出力軸９４Ａを逆回転させると、スタンドブラケット７０に対してヒンジブラケット５２が逆方向に回動する。
【００５０】
（スタンド）
図３に示されるように、スタンド１３０は、台座部１３２、アーム部１３４、及びカバー１３６を有する。台座部１３２は、板状に形成されており、図示しない机等の設置面に設置される。アーム部１３４は、台座部１３２の後端部から立ち上げらており、上部が前側へ緩やかに湾曲される。このアーム部１３４の上端部に、取付部１３４Ａが設けられる。
【００５１】
取付部１３４Ａは、板状に形成される。この取付部１３４Ａは、スタンドブラケット７０のベース部７２の後面７２Ｒ（図９参照）に重ねられた状態で、図示しないビス等によってベース部７２に固定される。この取付部１３４Ａの後面には、カバー１３６が取り付けられる。
【００５２】
（チルト制御部）
図１５に示されるように、チルト制御部１４０は、カメラ３６から入力された画像情報に基づいて、前述したヒンジモータ９４を制御し、利用者の瞳孔の位置に応じて表示器１４のチルト角度θ （図６参照）を調整する。このチルト制御部１４０は、例えば、ＣＰＵ、メモリ、及び記憶部等を備えるコンピュータとして実現される。
【００５３】
記憶部は、例えば、ＨＤＤ（Hard Disk Drive）またはフラッシュメモリとされる。この記憶部には、後述するヒンジモータ９４を制御する制御プログラムが記憶される。そして、ＣＰＵは、記憶部から制御プログラムを読み出してメモリに展開し、制御プログラムの各ステップを実行する。
【００５４】
チルト制御部１４０は、画像処理部１４２、チルト角度算出部１４４、及びモータ制御部１４６を有する。なお、画像処理部１４２、チルト角度算出部１４４、及びモータ制御部１４６の機能については、チルト制御部１４０の動作と共に後述する。
【００５５】
次に、チルト制御部の動作について説明する。なお、以下の説明では、チルト制御部１４０が実行する制御プログラムの各ステップは、図１６を参照する。
【００５６】
表示器１４の前にいる利用者によって電子機器１０の電源が入れられると、次のようになる。すなわち、ステップＳ１において、赤外線照射器３４がフロントカバー１８の下端部に形成された照射孔３８から利用者の顔に赤外線を放射状に照射する。
【００５７】
次に、ステップＳ２において、利用者の瞳孔によって反射された赤外線がカメラ３６によって撮影される。カメラ３６は、撮影した画像情報をチルト制御部１４０の画像処理部１４２に出力する。画像処理部１４２は、カメラ３６から入力された画像情報から利用者の瞳孔の位置を算出する。そして、画像処理部１４２は、算出した瞳孔の位置情報をチルト角度算出部１４４へ出力する。
【００５８】
次に、ステップＳ３において、チルト角度算出部１４４は、画像処理部１４２から入力された瞳孔の位置情報に基づいて、表示面１４Ａが利用者の顔（瞳孔）側を向く表示器１４のチルト角度θ （図６参照）を算出する。そして、チルト角度算出部１４４は、算出したチルト角度θ をモータ制御部１４６へ出力する。
【００５９】
次に、ステップＳ４において、モータ制御部１４６は、チルト角度算出部１４４から入力されたチルト角度θ と現在の表示器１４のチルト角度θ との差分からヒンジモータ９４の回転量を算出する。そして、ステップＳ５において、モータ制御部１４６は、算出したヒンジモータ９４の回転量に基づいてヒンジモータ９４を作動させ、ヒンジモータ９４のモータ出力軸９４Ａを所定量回転される。
【００６０】
これにより、サンギア１１２がモータ出力軸９４Ａと同一方向に回転される。そして、例えば、図１３に示されるように、サンギア１１２が矢印ａ方向に回転されると、プラネタリピニオン１１６を介してリングギア１１４がヒンジブラケット５２と一体に回転（矢印ｂ方向）される。この結果、図１４に示されるように、スタンドブラケット７０に対してヒンジブラケット５２が第１連結ボルト８０及び第２連結ボルト８６の中心軸Ｃを中心として回動され、表示器１４の表示面１４Ａ（図６参照）が利用者の顔側に向けられる。
【００６１】
なお、チルト制御部１４０は、ステップＳ１〜Ｓ５を繰り返し実行するように構成されても良い。
【００６２】
次に、本実施形態の効果について説明する。
【００６３】
先ず、比較例に係るヒンジユニット１５０について説明する。図１７に示されるように、比較例に係るヒンジユニット１５０では、ヒンジブラケット５２のベース部５４がパネルフレーム２４の後面２４Ｒに固定される。
【００６４】
この場合、図１８に示されるように、表示器１４とヒンジブラケット５２との間にパネルフレーム２４が介在する分、側面視にて表示器１４と第１連結ボルト８０及び第２連結ボルト８６の中心軸Ｃとの間隔 Ｌ０が広くなる。そのため、側面視にて表示装置１２の重心Ｇ（図６参照）位置に第１連結ボルト８０及び第２連結ボルト８６の中心軸Ｃを近づけ難くなる。
【００６５】
そして、側面視にて表示装置１２の重心Ｇと第１連結ボルト８０及び第２連結ボルト８６の中心軸Ｃとがずれると、表示装置１２の重量に起因するモーメントが常時発生する。そのため、スタンド１３０に対して表示装置１２が回動し難くなる。つまり、表示装置１２のチルト角度θ が調整し難くなる。
【００６６】
これに対して本実施形態では、図１９に示されるように、ヒンジブラケット５２のベース部５４は、パネルフレーム２４の前面２４Ｆに固定される。また、ヒンジブラケット５２のブラケット連結部５６は、パネルフレーム２４に形成された挿入孔６０を通してパネルフレーム２４の後側へ延出される。このブラケット連結部５６に第１連結ボルト８０及び第２連結ボルト８６を介してスタンドブラケット７０が連結される。
【００６７】
このように本実施形態では、パネルフレーム２４の前面２４Ｆにヒンジブラケット５２のベース部５４が固定される。そのため、図２０に示されるように、本実施形態では、比較例に係るヒンジユニット１５０よりも、側面視にて表示器１４と第１連結ボルト８０及び第２連結ボルト８６の中心軸Ｃとの間隔 Ｌ１が狭くなる（Ｌ１＜Ｌ０）。
【００６８】
したがって、第１連結ボルト８０の中心軸Ｃを表示装置１２の重心Ｇに近づけ易くなる。換言すると、本実施形態では、第１連結ボルト８０及び第２連結ボルト８６の中心軸Ｃ上に表示装置１２の重心Ｇを設定し易くなる。
【００６９】
そして、第１連結ボルト８０及び第２連結ボルト８６の中心軸Ｃ上に表示装置１２の重心Ｇが位置されると、表示装置１２の重量に起因するモーメントの発生が抑制される。これにより、表示装置１２がスタンド１３０に対して回動し易くなるため、チルト角度θ の調整が容易となる。この結果、ヒンジモータ９４の消費電力が低減される。
【００７０】
また、ベース部５４には、補強アーム部５４Ｂが設けられる。これにより、パネルフレーム２４に対するヒンジブラケット５２の固定強度が高められる。さらに、複数の補強アーム部５４Ｂは、表示器１４及びパネルフレーム２４の対角線に沿って配置される。これにより、表示器１４及びパネルフレーム２４の捩れ剛性 が高められる。したがって、表示器１４の耐久性が向上する。
【００７１】
特に、制御基板４２や記憶装置ユニット４８等は、パネルフレーム２４の後面２４Ｒ側に取り付けられており、パネルフレーム２４の前面２４Ｆには取り付けられない。つまり、パネルフレーム２４の前面２４Ｆは、後面２４Ｒと比較して補強アーム部５４Ｂの障害物が少ない。したがって、補強アーム部５４Ｂによって、パネルフレーム２４の前面２４Ｆを広範囲に亘って補強することができる。
【００７２】
このように本実施形態では、パネルフレーム２４を補強しつつ、表示器１４に第１連結ボルト８０及び第２連結ボルト８６の中心軸Ｃを近づけ、この中心軸Ｃ上に表示装置１２の重心Ｇを位置させることができる。
【００７３】
また、第１連結ボルト８０の頭部８０Ｂ及び第２連結ボルト８６の頭部８６Ｂは、一対の第１連結壁部５６Ａ及び第２連結壁部５６Ｂの間（内側）に配置される。そして、第１バネ座金８２、第１ナット８４、第２バネ座金８８、及び第２ナット９０は、一対の第１連結壁部５６Ａ及び第２連結壁部５６Ｂの外側に配置される。
【００７４】
そのため、本実施形態では、一対の第１連結壁部５６Ａ及び第２連結壁部５６Ｂの間に第１ナット８４及び第２ナット９０等が配置される構成と比較して、一対の第１連結壁部５６Ａ及び第２連結壁部５６Ｂの間の収容スペースが広くなる。そして、この収容スペースにモータユニット９２及び遊星ギア機構１１０が収容される。したがって、ヒンジユニット５０の小型化が図られる。
【００７５】
また、ヒンジモータ９４の回転出力は、遊星ギア機構１１０によって減速されてヒンジブラケット５２に伝達される。そのため、スタンドブラケット７０に対するヒンジブラケット５２の回動量が微調整し易くなる。したがって、表示装置１２のチルト角度θ の調整精度が向上する。
【００７６】
さらに、表示装置１２のチルト角度θ は、チルト制御部１４０によって利用者の瞳孔の位置に応じて自動調整される。したがって、電子機器１０の利便性が向上する。
【００７７】
次に、上記実施形態の変形例について説明する。
【００７８】
上記実施形態では、ヒンジブラケット５２のベース部５４が前側から見てＸ字形状に形成されるが、ベース部５４の形状はＸ字形状に限らない。ベース部の形状は、例えば、前側から見てＹ字形状に形成されても良い。また、上記実施形態では、ベース部５４に補強アーム部５４Ｂが設けられるが、補強アーム部５４Ｂは省略可能である。
【００７９】
また、上記実施形態では、ヒンジブラケット５２のブラケット連結部５６とスタンドブラケット７０とが、ヒンジ軸としての２本の第１連結ボルト８０及び第２連結ボルト８６によって連結される。しかしながら、ブラケット連結部５６とスタンドブラケット７０とは、ヒンジ軸としての１本の連結ボルトによって連結されても良い。また、ヒンジ軸は、連結ボルトに限らず、例えば、ロッド等の回動軸であっても良い。
【００８０】
また、上記実施形態では、ブラケット連結部５６の一対の第１連結壁部５６Ａ及び第２連結壁部５６Ｂの外側に、スタンドブラケット７０の一対の第１対向壁部７４Ａ及び第２対向壁部７４Ｂが配置される。しかしながら、一対の第１連結壁部５６Ａ及び第２連結壁部５６Ｂの内側に、一対の第１対向壁部７４Ａ及び第２対向壁部７４Ｂが配置されても良い。また、一対の第１連結壁部５６Ａ及び第２連結壁部５６Ｂと一対の第１対向壁部７４Ａ及び第２対向壁部７４Ｂとは、交互に配置されても良い。
【００８１】
また、上記実施形態では、減速機構が遊星ギア機構１１０とされるが、減速機構は他のギア機構であっても良い。また、減速機構は、省略可能である。
【００８２】
また、上記実施形態では、一対の第１連結壁部５６Ａ及び第２連結壁部５６Ｂの間にヒンジモータ９４が設けられるが、ヒンジモータ９４の配置は変更可能である。また、ヒンジモータ９４は、省略可能である。
【００８３】
また、制御基板４２、冷却ファンユニット４６、記憶装置ユニット４８、光学ドライブユニット４４、及びヒンジユニット５０の配置は、適宜変更可能である。さらに、上記実施形態では、表示装置１２に記憶装置ユニット４８及び光学ドライブユニット４４等が設けられるが、記憶装置ユニット４８及び光学ドライブユニット４４等は表示装置１２とは別に設けられた本体装置に設けられても良い。
【００８４】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【００８５】
なお、以上の実施形態に関し、さらに以下の付記を開示する。
【００８６】
（付記１）
表示器と、
表示器の後側に配置され、該表示器を支持するパネルフレームと、
前記表示器と前記パネルフレームとの間に配置されて該パネルフレームに固定されるベース部と、前記ベース部から前記パネルフレームに形成された挿入孔を通して該パネルフレームの後側へ延出するブラケット連結部と、を有するヒンジブラケットと、
前記ブラケット連結部にヒンジ軸を介して連結されるスタンドと、
を備える電子機器。
（付記２）
前記ヒンジ軸は、前記表示器の横幅方向に沿って配置される、
付記１に記載の電子機器。
（付記３）
前記スタンドに固定されるスタンドブラケットを備え、
前記ブラケット連結部は、前記表示器の横幅方向に対向する一対の第１連結壁部及び第２連結壁部を有し、
前記スタンドブラケットは、前記第１連結壁部及び前記第２連結壁部の各々と対向する一対の第１対向壁部及び第２対向壁部を有し、
前記ヒンジ軸は、前記第１連結壁部と前記第１対向壁部とを連結する第１連結ボルトと、前記第２連結壁部と前記第２対向壁部とを連結する第２連結ボルトと、を有する、
付記１または付記２に記載の電子機器。
（付記４）
前記第１連結ボルト及び前記第２連結ボルトは、同軸上に配置される、
付記３の記載の電子機器。
（付記５）
前記第１連結ボルトの頭部及び前記第２連結ボルトの頭部は、前記第１連結壁部と前記第２連結壁部との間に配置される、
付記３または付記４に記載の電子機器。
（付記６）
前記第１連結ボルトには、前記第１連結壁部及び前記第１対向壁部の外側から第１バネ座金を介して第１ナットが取り付けられ、
前記第２連結ボルトには、前記第２連結壁部及び前記第２対向壁部の外側から第２バネ座金を介して第２ナットが取り付けられる、
付記５に記載の電子機器。
（付記７）
前記第１連結壁部と前記第２連結壁部との間に配置され、前記第１連結ボルト及び前記第２連結ボルトを中心として前記スタンドブラケットに対して前記ヒンジブラケットを回動させるヒンジモータを備える、
付記３〜付記６の何れか１つに記載の電子機器。
（付記８）
前記ヒンジモータは、前記表示器の横幅方向に延びるモータ出力軸を有する、
付記７に記載の電子機器。
（付記９）
前記モータ出力軸に接続され、該モータ出力軸の回転出力を減速させる減速機構を備える、
付記８に記載の電子機器。
（付記１０）
前記減速機構は、遊星ギア機構である、
付記９に記載の電子機器。
（付記１１）
前記ベース部は、前記パネルフレームの対角線に沿って延びる補強アーム部を有する、
付記１〜付記１０の何れか１つに記載の電子機器。
（付記１２）
前記ベース部は、前側から見てＸ字形状に形成される、
付記１１に記載の電子機器。
（付記１３）
前記挿入孔は、前記パネルフレームの中央部に形成される、
付記１〜付記１２の何れか１つに記載の電子機器。
（付記１４）
前記表示器と、前記パネルフレームと、前記ヒンジブラケットと、前記パネルフレームの後側に配置されるリアカバーと、前記ブラケット連結部の下側に配置されて前記パネルフレームにおける前記表示器と反対側に面に固定される記憶装置ユニットと、を有し、前記スタンドに支持される表示装置を備える、
付記１〜付記１３の何れか１つに記載の電子機器。
（付記１５）
前記表示装置の重心は、前記ヒンジ軸の中心軸上に位置される、
付記１４に記載の電子機器。
（付記１６）
表示器と前記表示器の後側に配置されて該表示器を支持するパネルフレームとの間に配置され、前記パネルフレームに固定されるベース部と、前記ベース部から前記パネルフレームに形成された挿入孔を通して該パネルフレームの後側へ延出するブラケット連結部と、を有するヒンジブラケットと、
前記ブラケット連結部に設けられ、スタンドが連結されるヒンジ軸と、
を備えるヒンジユニット。
（付記１７）
前記ヒンジ軸は、前記表示器の横幅方向に沿って配置される、
付記１６に記載のヒンジユニット。
（付記１８）
前記スタンドが固定され、前記ブラケット連結部に前記ヒンジ軸を介して連結されるスタンドブラケットを備える、
付記１６または付記１７に記載のヒンジユニット。
（付記１９）
前記ブラケット連結部は、前記表示器の横幅方向に対向する一対の第１連結壁部及び第２連結壁部を有し、
前記スタンドブラケットは、前記第１連結壁部及び前記第２連結壁部の各々と対向する一対の第１対向壁部及び第２対向壁部を有し、
前記ヒンジ軸は、前記第１連結壁部と前記第１対向壁部とを連結する第１連結ボルトと、前記第２連結壁部と前記第２対向壁部とを連結する第２連結ボルトと、を有する、
付記１８に記載のヒンジユニット。
（付記２０）
前記第１連結ボルト及び前記第２連結ボルトは、同軸上に配置される、
付記１９に記載のヒンジユニット。
（付記２１）
前記第１連結ボルトの頭部及び前記第２連結ボルトの頭部は、前記第１連結壁部と前記第２連結壁部との間に配置される、
付記１９または付記２０に記載のヒンジユニット。
（付記２２）
前記第１連結ボルトには、前記第１連結壁部及び前記第１対向壁部の外側から第１バネ座金を介して第１ナットが取り付けられ、
前記第２連結ボルトには、前記第２連結壁部及び前記第２対向壁部の外側から第２バネ座金を介して第２ナットが取り付けられる、
付記２１に記載のヒンジユニット。
（付記２３）
前記第１連結壁部と前記第２連結壁部との間に配置され、前記第１連結ボルト及び前記第２連結ボルトを中心として前記スタンドブラケットに対して前記ヒンジブラケットを回動させるヒンジモータを備える、
付記１９〜付記２２の何れか１つに記載のヒンジユニット。
（付記２４）
前記ヒンジモータは、前記表示器の横幅方向に延びるモータ出力軸を有する、
付記２３に記載のヒンジユニット。
（付記２５）
前記モータ出力軸に接続され、該モータ出力軸の回転出力を減速させる減速機構を備える、
付記２４に記載のヒンジユニット。
（付記２６）
前記減速機構は、遊星ギア機構である、
付記２５に記載のヒンジユニット。
（付記２７）
前記ベース部は、前記パネルフレームの対角線に沿って延びる補強アーム部を有する、
付記１６〜付記２６の何れか１つに記載のヒンジユニット。
（付記２８）
前記ベース部は、前側から見てＸ字形状に形成される、
付記２７に記載のヒンジユニット。
【符号の説明】
【００８７】
１０  電子機器
１２  表示装置
１４  表示器
２０  リアカバー
２４  パネルフレーム
４８  記憶装置ユニット
５０  ヒンジユニット
５２  ヒンジブラケット
５４  ベース部
５４Ｂ  補強アーム部
５６  ブラケット連結部
５６Ａ  第１連結壁部
５６Ｂ  第２連結壁部
６０  挿入孔
７０  スタンドブラケット
７４Ａ  第１対向壁部
７４Ｂ  第２対向壁部
８０  第１連結ボルト（ヒンジ軸の一例）
８０Ｂ  頭部
８２  第１バネ座金
８４  第１ナット
８６  第２連結ボルト（ヒンジ軸の一例）
８６Ｂ  頭部
８８  第２バネ座金
９０  第２ナット
９４  ヒンジモータ
９４Ａ  モータ出力軸
１１０  遊星ギア機構（減速機構の一例）
１３０  スタンド
１５０  ヒンジユニット
Ｃ  中心軸
Ｇ  重心
【図１】
0006330602.tif 000002
【図２】
0006330602.tif 000003
【図３】
0006330602.tif 000004
【図４】
0006330602.tif 000005
【図５】
0006330602.tif 000006
【図６】
0006330602.tif 000007
【図７】
0006330602.tif 000008
【図８】
0006330602.tif 000009
【図９】
0006330602.tif 000010
【図１０】
0006330602.tif 000011
【図１１】
0006330602.tif 000012
【図１２】
0006330602.tif 000013
【図１３】
0006330602.tif 000014
【図１４】
0006330602.tif 000015
【図１５】
0006330602.tif 000016
【図１６】
0006330602.tif 000017
【図１７】
0006330602.tif 000018
【図１８】
0006330602.tif 000019
【図１９】
0006330602.tif 000020
【図２０】
0006330602.tif 000021